(57)【要約】【課題】空調装置の空調風を吹き出すための空調グリルであって、空調風の吹出方向を調節する機能を向上させる空調グリルを提供する。【解決手段】空調グリル２０の筐体１５は、空調風が吹き出される吹出口７１ａと、同吹出口７１ａ内に並設され筐体１５に軸支されることにより揺動可能な複数のフィンとを有している。フィンは、それらフィンの配列方向における一方側に配設される端フィン３１及び隣接フィン３２により構成される第１フィン群と、他方側に配設される端フィン３４及び隣接フィン３３により構成される第２フィン群とで構成されている。第１フィン群は第１リンク部材によって、第２フィン群は第２リンク部材によってそれぞれ連結されており、各フィン群は第１リンク部材及び第２リンク部材が各別に変位することにより各フィン群毎に独立して揺動可能である。【選択図】図３
2011027348.tif 000002
【特許請求の範囲】
【請求項１】
吹出口が形成された筐体と、前記吹出口内に並設され前記筐体に軸支されることにより揺動可能な複数のフィンとを有し、それらフィンを揺動させることにより前記筐体の吹出口から吹き出される空調風の方向を調節する空調グリルにおいて、
前記フィンは、それらフィンの配列方向における一方側に配設される複数のフィンからなる第１フィン群と他方側に配設される複数のフィンからなる第２フィン群とによって構成されており、前記第１フィン群のフィンは第１リンク部材によってそれぞれ連結される一方、前記第２フィン群のフィンは第２リンク部材によってそれぞれ連結され、各フィン群は前記第１リンク部材及び前記第２リンク部材が各別に変位することにより各フィン群毎に独立して揺動可能である
ことを特徴とする空調グリル。
【請求項２】
前記吹出口は長方形の開口形状を有するものであり、
前記複数のフィンは前記吹出口の長手方向に延伸して配設される
請求項１に記載の空調グリル。
【請求項３】
前記第１フィン群及び前記第２フィン群は前記各フィンの配列方向における両端にそれぞれ位置し前記筐体の長手方向に対向して伸びる各内壁にそれぞれ近接して配設される一対の端フィンを含み、
前記筐体の長手方向に伸びる各内壁には、前記吹出口の開口平面に対して垂直な方向に指向する状態にある前記各端フィンを前記吹出口の前面側から視認できないように各内壁から前記吹出口側に延出してそれらを覆い隠す隠蔽部が各内壁に沿ってそれぞれ形成される
請求項２に記載の空調グリル。
【請求項４】
前記第１フィン群及び前記第２フィン群の各フィンは前記端フィンを含めて空調風の流れ方向における下流側端部にて前記筐体に揺動可能に軸支されるものであり、
前記隠蔽部は前記第１フィン群及び前記第２フィン群の前記端フィンの下流側端部に近接してこれを覆い隠すものである
請求項３に記載の空調グリル。
【請求項５】
前記第１フィン群は前記各フィンの配列方向における端に位置し前記筐体の長手方向に伸びる内壁に近接して配設される端フィンとこれに隣接する隣接フィンとを含み、前記第１リンク部材には前記端フィンの連結部が係合されるとともに同連結部をその形状に沿って案内することにより同連結部と前記第１リンク部材との相対的な位置関係を変化させる案内部が形成され、
前記案内部は、前記隣接フィンにより調節される空調風の吹出方向が前記内壁と反対側に指向するように前記第１リンク部材が変位する際には、前記連結部が前記案内部の形状に沿って相対的に移動することにより前記端フィンが前記吹出口の開口平面に対して垂直な方向に指向する状態となるようにその揺動角度が一定に保持される一方、前記隣接フィンにより調節される空調風の吹出方向が前記内壁側に指向するように前記第１リンク部材が変位する際には、前記連結部と前記案内部の端部とが係合状態に維持されて前記端フィンが前記隣接フィンとともに揺動するように、その形状が設定されてなる
請求項２〜４のいずれか一項に記載の空調グリル。
【請求項６】
前記筐体は、建造物の外壁と天井壁との交線と前記筐体の長手方向とが平行となり、且つ、前記第１フィン群の前記端フィンが前記交線側に位置するとともに前記吹出口が前記外壁に設けられた窓の直上に位置する状態で前記天井壁に埋設されるものである
請求項５に記載の空調グリル。
【請求項７】
前記第２フィン群は前記各フィンの配列方向における端に位置し前記筐体の長手方向に伸びる内壁に近接して配設される端フィンとこれに隣接する隣接フィンとを含み、前記第２リンク部材には前記端フィンの連結部が係合されるとともに同連結部をその形状に沿って案内することにより同連結部と前記第２リンク部材との相対的な位置関係を変化させる案内部が形成され、
前記案内部は、前記隣接フィンにより調節される空調風の吹出方向が前記内壁と反対側に指向するように前記第２リンク部材が変位する際には、前記連結部が前記案内部の形状に沿って相対的に移動することにより前記端フィンが前記吹出口の開口平面に対して垂直な方向に指向する状態となるようにその揺動角度が一定に保持される一方、前記隣接フィンにより調節される空調風の吹出方向が前記内壁側に指向するように前記第２リンク部材が変位する際には、前記連結部と前記案内部の端部とが係合状態に維持されて前記端フィンが前記隣接フィンとともに揺動するように、その形状が設定されてなる
請求項５又は請求項６に記載の空調グリル。
【請求項８】
建造物の外壁と天井壁との交線と前記筐体の長手方向とが平行となるように請求項５に記載の空調グリルが前記天井壁に取り付けられる建造物の空調構造であって、
前記第１フィン群の前記端フィンが前記交線側に位置するとともに前記吹出口が前記外壁に設けられた窓の直上に位置するように前記筐体が前記天井壁に埋設される
ことを特徴とする建造物の空調構造。
【発明の詳細な説明】
【技術分野】
【０００１】
この発明は、空調装置の空調風を吹き出すための空調グリル及び同空調グリルを用いた建造物の空調構造に関する。
【背景技術】
【０００２】
住宅等の建造物では、例えば天井壁等に空調グリルが配設され、その空調グリルから空調装置により温度や湿度が調節された空調風を室内に吹き出すことにより室内の温度等を所望の値に調節するようにしている。一般に、この空調グリルの吹出口には、空調風を整流してその吹出方向を調節するための複数のフィンが設けられている。そして、こうしたフィンは、例えば所定方向に傾斜した状態で空調グリルの内壁等に固定されている。
【０００３】
しかしながら、このように空調グリルにおいてフィンの傾斜角度が固定されていると、空調風の吹出方向がそのフィンの傾斜角度によって一義的に決められしまうため、室内において空調風が行き渡る範囲が著しく制限されてしまうこととなる。このため、フィンの傾斜角度を変更可能とすることにより、空調風の吹出方向を所望とする方向に指向させることができる機能を空調グリルに持たせるようにすることが望ましい。
【０００４】
そこで、例えば特許文献１に記載の空調グリルにあっては、複数のフィンを回転軸を介して揺動可能に取り付けるとともに、それらフィンをリンク部材によって互いに連結するようにしている。こうした構成を有する空調グリルであれば、複数のフィンがリンク部材によって連動して揺動することにより、フィンの傾斜角度を変更することができる。したがって、こうした傾斜角度の変更を通じて空調風の吹出方向を所望とする方向に指向させることができ、室内において空調風が行き渡る範囲を広げることもできるようになる。
【先行技術文献】
【特許文献】
【０００５】
【特許文献１】特開平８−１６９２３０号公報
【発明の概要】
【発明が解決しようとする課題】
【０００６】
ただし、上記特許文献１に記載の空調グリルにおいては、全てのフィンの傾斜角度が同じになるため、空調風を所望とする方向に指向させることはできるものの、その方向は一方向に限定される。したがって、例えば空調風を異なる方向にそれぞれ同時に指向させるようなことはできない。このため、上述したような可動式のフィンを採用することで空調風の吹出方向を調節する際の自由度が向上したとはいえ、依然として制約が残り、こうした制約は空調機器の空調性能を最大限に発揮させる際の障害ともなり得る。このように従来の空調グリルにあっては、空調風の吹出方向を調節する機能を高める上でなお改善の余地を残すものとなっていた。
【０００７】
本発明は、上記実情に鑑みてなされたものであり、その目的は、空調装置の空調風を吹き出すための空調グリルであって、空調風の吹出方向を調節する機能を向上させる空調グリルを提供することにある。
【課題を解決するための手段】
【０００８】
以下、上記目的を達成するための手段及びその作用効果について記載する。
請求項１に記載の発明は、吹出口が形成された筐体と、前記吹出口内に並設され前記筐体に軸支されることにより揺動可能な複数のフィンとを有し、それらフィンを揺動させることにより前記筐体の吹出口から吹き出される空調風の方向を調節する空調グリルにおいて、前記フィンは、それらフィンの配列方向における一方側に配設される複数のフィンからなる第１フィン群と他方側に配設される複数のフィンからなる第２フィン群とによって構成されており、前記第１フィン群のフィンは第１リンク部材によってそれぞれ連結される一方、前記第２フィン群のフィンは第２リンク部材によってそれぞれ連結され、各フィン群は前記第１リンク部材及び前記第２リンク部材が各別に変位することにより各フィン群毎に独立して揺動可能であることをその要旨とする。
【０００９】
上記構成によれば、第１フィン群のフィンを第１リンク部材によってそれぞれ連結する一方、第２フィン群のフィンを第２リンク部材によってそれぞれ連結するようにしているため、各フィンをフィン群毎に独立して揺動させることができる。そのため、第１フィン群におけるフィンの揺動角度と第２フィン群におけるフィンの揺動角度とを異なる角度としてそれらフィン群のフィンの間を通過する空調風の吹出方向を各別に設定することも可能となる。したがって、空調風の吹出方向を調節する機能の向上を図ることができる。
【００１０】
空調グリルとしては、例えば、請求項２に記載の構成によるように、前記吹出口は長方形の開口形状を有するものであり、前記複数のフィンは前記吹出口の長手方向に延伸して配設されるといった構成を採用することができる。
【００１１】
請求項３に記載の発明は、請求項２に記載の空調グリルにおいて、前記第１フィン群及び前記第２フィン群は前記各フィンの配列方向における両端にそれぞれ位置し前記筐体の長手方向に対向して伸びる各内壁にそれぞれ近接して配設される一対の端フィンを含み、前記筐体の長手方向に伸びる各内壁には、前記吹出口の開口平面に対して垂直な方向に指向する状態にある前記各端フィンを前記吹出口の前面側から視認できないように各内壁から前記吹出口側に延出してそれらを覆い隠す隠蔽部が各内壁に沿ってそれぞれ形成されることをその要旨とする。
【００１２】
意匠的な観点から、空調グリルの吹出口から視認されるフィンの数はより少ないことが望ましい。一方、フィンの数が少ないほど、空調風の吹出方向を調節する機能は低下するようになる。
【００１３】
この点、請求項３に記載の構成によれば、第１フィン群及び第２フィン群の各端フィンが吹出口の開口平面に対して垂直な方向に指向する状態にあるときには、それら端フィンが隠蔽部によってそれぞれ覆い隠されるようになるため、吹出口の前面側からは視認できない状態となる。このため、空調風の吹出方向を調節する機能を適正に維持しつつ、空調グリルの意匠性を向上させることができる。
【００１４】
請求項４に記載の発明は、請求項３に記載の空調グリルにおいて、前記第１フィン群及び前記第２フィン群の各フィンは前記端フィンを含めて空調風の流れ方向における下流側端部にて前記筐体に揺動可能に軸支されるものであり、前記隠蔽部は前記第１フィン群及び前記第２フィン群の前記端フィンの下流側端部に近接してこれを覆い隠すものであることをその要旨とする。
【００１５】
吹出口から吹き出される空調風は基本的に各フィンの間を通過することでその吹出方向が調節される。ここで、端フィンと筐体の内壁との間の隙間を空調風が通過することがあると、この空調風は端フィンにより吹出方向が調節されないため、本来の指向させたい方向とは無関係の方向に吹き出され、こうした空調風と他のフィンによって吹出方向が調節された空調風とが干渉してしまうおそれがある。すなわちこのように、端フィンと筐体との間の隙間を通過する空調風が存在すると空調風の吹出方向を調節する機能の低下を招くこととなる。
【００１６】
この点、上記構成によれば、端フィンが揺動した場合でも筐体に軸支されている端フィンの下流側端部と隠蔽部との位置関係が変化することはなく、したがって筐体の内壁と端フィンとの間の隙間を通過しようとする空調風は隠蔽部によって堰き止められるようになる。その結果、筐体の内壁と端フィンとの間の隙間を通過して吹出口から空調風が吹き出されることを抑制することができ、空調風の吹出方向を調節する機能の低下を回避することができる。
【００１７】
請求項５に記載の発明は、請求項２〜４のいずれか一項に記載の空調グリルにおいて、前記第１フィン群は前記各フィンの配列方向における端に位置し前記筐体の長手方向に伸びる内壁に近接して配設される端フィンとこれに隣接する隣接フィンとを含み、前記第１リンク部材には前記端フィンの連結部が係合されるとともに同連結部をその形状に沿って案内することにより同連結部と前記第１リンク部材との相対的な位置関係を変化させる案内部が形成され、前記案内部は、前記隣接フィンにより調節される空調風の吹出方向が前記内壁と反対側に指向するように前記第１リンク部材が変位する際には、前記連結部が前記案内部の形状に沿って相対的に移動することにより前記端フィンが前記吹出口の開口平面に対して垂直な方向に指向する状態となるようにその揺動角度が一定に保持される一方、前記隣接フィンにより調節される空調風の吹出方向が前記内壁側に指向するように前記第１リンク部材が変位する際には、前記連結部と前記案内部の端部とが係合状態に維持されて前記端フィンが前記隣接フィンとともに揺動するように、その形状が設定されてなることをその要旨とする。
【００１８】
同構成によれば、隣接フィンにより調節される空調風の吹出方向が筐体の内壁と反対側に指向するように第１リンク部材が変位する場合には、端フィンが吹出口の開口平面に対して垂直な方向に指向する状態となるようにその揺動角度が一定に保持される。これに対して例えば、図１２に二点鎖線にて示すように、端フィンが隣接フィンとともに揺動する場合には、端フィンにより調節される空調風の吹出方向と隣接フィンにより調節される空調風の吹出方向とが平行になるため、その空調風が到達する領域Ｎが比較的限られたものとなる。一方、上記構成によれば、端フィンにより調節される空調風と隣接フィンにより調節される空調風とによって拡散する空調風が形成され、その空調風が到達する領域Ｗを広く確保できるようになる。また、端フィンは吹出口の開口平面に対して垂直な方向に指向する状態から片側にしか揺動しないため、端フィンを揺動可能とするために確保する空間を小さくすることができ、フィンの配列方向における筐体の幅を薄くすることができるようになる。更に、このように端フィンが吹き出しの開口平面に対して垂直な方向に指向する状態にあるとき、隣接フィンはこれにより調節される空調風の吹出方向が筐体の内壁と反対側となるように揺動するため、端フィンにより吹出方向が調節される空調風と隣接フィンにより吹出方向が調節される空調風とが図１３に示すような干渉を起こすことがない。したがって、そうした干渉に起因して空調風の吹出方向を調節する機能が低下することを抑制できるようになる。
【００１９】
請求項６に記載の発明は、請求項５に記載の空調グリルにおいて、前記筐体は、建造物の外壁と天井壁との交線と前記筐体の長手方向とが平行となり、且つ、前記第１フィン群の前記端フィンが前記交線側に位置するとともに前記吹出口が前記外壁に設けられた窓の直上に位置する状態で前記天井壁に埋設されるものであることをその要旨とする。
【００２０】
同構成によれば、端フィンが吹出口の開口平面に対して垂直な方向に指向するようにその揺動角度が保持されるため、同端フィンにより調節される空調風は窓の表面に沿って流れるようになり、いわゆるエアカーテンとして機能するようになる。そしてこうしたエアカーテンの機能により、窓を介してなされる外気との熱交換によって室内温度が変動してしまうことを抑制することができ、ひいては空調機器本来の性能を充分に発揮させることができるようになる。
【００２１】
請求項７に記載の発明は、請求項５又は請求項６に記載の空調グリルにおいて、前記第２フィン群は前記各フィンの配列方向における端に位置し前記筐体の長手方向に伸びる内壁に近接して配設される端フィンとこれに隣接する隣接フィンとを含み、前記第２リンク部材には前記端フィンの連結部が係合されるとともに同連結部をその形状に沿って案内することにより同連結部と前記第２リンク部材との相対的な位置関係を変化させる案内部が形成され、前記案内部は、前記隣接フィンにより調節される空調風の吹出方向が前記内壁と反対側に指向するように前記第２リンク部材が変位する際には、前記連結部が前記案内部の形状に沿って相対的に移動することにより前記端フィンが前記吹出口の開口平面に対して垂直な方向に指向する状態となるようにその揺動角度が一定に保持される一方、前記隣接フィンにより調節される空調風の吹出方向が前記内壁側に指向するように前記第２リンク部材が変位する際には、前記連結部と前記案内部の端部とが係合状態に維持されて前記端フィンが前記隣接フィンとともに揺動するように、その形状が設定されてなることをその要旨とする。
【００２２】
同構成によれば、請求項５に記載の発明に準じた作用効果を奏することができる。
請求項８に記載の発明は、建造物の外壁と天井壁との交線と前記筐体の長手方向とが平行となるように請求項５に記載の空調グリルが前記天井壁に取り付けられる建造物の空調構造であって、前記第１フィン群の前記端フィンが前記交線側に位置するとともに前記吹出口が前記外壁に設けられた窓の直上に位置するように前記筐体が前記天井壁に埋設されることをその要旨とする。
【００２３】
同構成によれば、端フィンを吹出口の開口平面に対して垂直な方向に指向するようにその揺動角度が保持されるため、同端フィンにより調節される空調風は窓の表面に沿って流れるようになり、いわゆるエアカーテンとして機能するようになる。そしてこうしたエアカーテンの機能により、窓を介してなされる外気との熱交換によって室内温度が変動してしまうことを抑制することができ、ひいては空調機器本来の性能を充分に発揮させることができるようになる。
【発明の効果】
【００２４】
本発明の空調グリルによれば、第１フィン群のフィンを第１リンク部材によってそれぞれ連結する一方、第２フィン群のフィンを第２リンク部材によってそれぞれ連結するようにしているため、各フィンをフィン群毎に独立して揺動させることができる。そのため、第１フィン群におけるフィンの揺動角度と第２フィン群におけるフィンの揺動角度とを異なる角度としてそれらフィン群のフィンの間を通過する空調風の吹出方向を各別に設定することも可能となる。したがって、空調風の吹出方向を調節する機能の向上を図ることができる。
【図面の簡単な説明】
【００２５】
【図１】本発明の第１の実施形態にかかる空調グリルの構成を示す斜視図。
【図２】図１における空調グリルを拡大して示す正面図。
【図３】図１のＡ−Ａ線における断面図。
【図４】第１リンク部材及び第２リンク部材が変位した場合の空調グリルの状態を図１の矢印Ｂ方向から見た側面図。
【図５】第１リンク部材及び第２リンク部材が変位した場合の空調グリルの状態を図１の矢印Ｂ方向から見た側面図。
【図６】第１リンク部材及び第２リンク部材が変位した場合の空調グリルの状態を図１の矢印Ｂ方向から見た側面図。
【図７】第１リンク部材及び第２リンク部材が変位した場合の空調グリルの状態を図１の矢印Ｂ方向から見た側面図。
【図８】第１リンク部材及び第２リンク部材が変位した場合の空調グリルの状態を図１の矢印Ｂ方向から見た側面図。
【図９】第１リンク部材及び第２リンク部材が変位した場合の空調グリルの状態を図１の矢印Ｂ方向から見た側面図。
【図１０】図３における部分Ｃの拡大図。
【図１１】本発明の空調グリルが建造物の天井壁に取り付けられた状態を示す断面図。
【図１２】本発明の空調グリルと従来の空調グリルとについて、端フィンの揺動態様の違いを模式的に示す模式図。
【図１３】端フィン及び隣接フィンの揺動態様の比較例を模式的に示す模式図。
【発明を実施するための形態】
【００２６】
以下、この発明にかかる空調グリルを具体化した実施形態について、図１〜図１３を参照して詳細に説明する。
図１に、本実施形態における空調グリルの構成を示す斜視図を、図２に空調グリルの正面図を、図３に図１のＡ−Ａ線に沿った断面構造を示す断面図をそれぞれ示す。図１に示すように、空調グリル２０は、筐体１５、下流側フィン３０、カバー７０等を備えて構成されている。筐体１５は、略直方体状をなし、その短手方向の壁をなす一対の短手壁１６と長手方向の壁をなす一対の長手壁１７とによりその外郭が形成されている。そして、筐体１５には、その空調風の流れ方向の下流側（図１における上側）に長方形状の開口７１が形成されるとともに、その外周を囲むように上記カバー７０が配設されている。図２に示すように、このカバー７０は、筐体１５の開口７１（破線にて図示）よりも開口面積が若干小さい吹出口７１ａを有して空調グリル２０の意匠面を構成している。
【００２７】
また、図２及び図３に示すように、筐体１５の内部にあって、その上流側には上流側フィン２１が、下流側には下流側フィン３０がそれぞれ配設されている。上流側フィン２１は複数枚（本実施形態では１２枚）のフィンからなり、吹出口７１ａの短手方向（図２の略上下方向）に延伸して配設される。これらの上流側フィン２１は筐体１５の長手壁１７の内壁Ａに沿う方向に互いに平行に離間した状態で配列されている。また、各上流側フィン２１における両端部の略中央部分には支軸２１ａがそれぞれ形成されている。そして、支軸２１ａが長手壁１７に回動可能に支持されることにより、上流側フィン２１は支軸２１ａを支点として揺動可能である。
【００２８】
一方、下流側フィン３０は、図３に示すように、同下流側フィン３０の配列方向における両端に位置し、長手壁１７の内壁Ａにそれぞれ近接する一対の端フィン３１，３４と、同端フィン３１に隣接して配設される隣接フィン３２と、端フィン３４に隣接して配設される隣接フィン３３とから構成されている。これら下流側フィン３０は、吹出口７１ａの長手方向（図２の略左右方向）に延伸し、短手壁１６の内壁Ｂに沿う方向に互いに平行に等間隔をおいて配設されている。なお、これら下流側フィン３０のうち、端フィン３１及び隣接フィン３２を第１フィン群、端フィン３４及び隣接フィン３３を第２フィン群とそれぞれ称することとする。
【００２９】
また、下流側フィン３０には、長手壁１７の内壁Ａに沿う方向における端部であって、空調風の流れ方向における下流側（図３の上側）の端部に支軸（図示略）がそれぞれ形成されている。したがって、下流側フィン３０の上流側端部はその支軸を中心に揺動可能になっている。なお、この支軸には筐体１５の短手壁１６の外側面に配設される後述のリンク機構４０が接続されている。
【００３０】
ところで、上述したように、従来の空調グリルは、空調風の吹出方向が所定方向に固定されていたり、その方向を変更することはできても、例えば空調風を異なる方向にそれぞれ同時に指向させるようなことはできない。
【００３１】
そこで、本実施形態においては、空調風の吹出方向を調節する機能を向上させるべく、下流側フィン３０のうち第１フィン群のフィンを第１リンク部材によって連結する一方、第２フィン群のフィンを第１リンク部材とは別の第２リンク部材によって連結し、第１リンク部材及び第２リンク部材が各別に変位することにより各フィン群毎に独立して揺動できるようにしている。以下、そうした第１リンク部材及び第２リンク部材を含むリンク機構４０を中心に、本実施形態の空調グリル２０についてさらに詳しく説明する。
【００３２】
図４は、図１の矢印Ｂ方向から見た側面図を示す。なお、同図４は、全ての下流側フィン３０が吹出口７１ａの開口面に対して略垂直をなすように指向している状態を示す。
図４に示すように、リンク機構４０は平板棒状をなすアーム３１ｄ〜３４ｄ，４３ｂ，４４ｂと、平板状をなす第１リンク部材４１及び第２リンク部材４２とから構成されている。まず、リンク機構４０を構成する各部材の形状について説明する。
【００３３】
アーム３１ｄ〜３４ｄは、その一方の端部（図４の上方端部）にあって平面を垂直に穿孔されて形成された軸受部３１ｃ〜３４ｃと、他方の端部（図４の下方端部）にあって軸受部３１ｃ〜３４ｃが形成される面とは反対側の面から垂直に突出して形成される軸部３１ｅ〜３４ｅとをそれぞれ有している。
【００３４】
また、図４において右側に位置する第１リンク部材４１は、外形三角形状をなす平板であり、その１つの頂点付近の端部４１ｂから略中央部の端部４１ｃにかけて円弧状をなすように形成された第１穴部４１ａと、その他の頂点にそれぞれ形成された軸受部４１ｄ，４１ｅとを有している。この第１穴部４１ａ及び軸受部４１ｄ，４１ｅは、第１リンク部材４１の平面に対して垂直に穿孔されて形成されたものである。
【００３５】
一方、図４において左側に位置する第２リンク部材４２は、外形四角形状をなす平板であり、そのうちの１つが略直角をなすとともに、その略直角をなす頂点を挟む２辺の長さが略等しく形成されている。この第２リンク部材４２は、略直角をなす頂点付近に形成される軸受部４２ｄと、同軸受部４２ｄが形成される頂点に隣接する頂点付近に形成される軸受部４２ｅとを有している。そして、第２リンク部材４２は、軸受部４２ｄ，４２ｅが形成される頂点以外の頂点付近であって、軸受部４２ｄが形成される頂点に対向する頂点付近の端部４２ｂから軸受部４２ｄが形成される頂点に隣接する頂点付近の端部４２ｃにかけて円弧状をなすように形成された第２穴部４２ａを有している。この第２穴部４２ａ及び軸受部４２ｄ，４２ｅは、第２リンク部材４２の平面に対して垂直に穿孔されて形成されたものである。なお、第１リンク部材４１の第１穴部４１ａ及び第２リンク部材４２の第２穴部４２ａについて、その詳しい形状は後述することとする。
【００３６】
アーム４３ｂ，４４ｂは、その一方の端部（図４の上方端部）に平面から垂直に突出して形成される軸部４３ｃ，４４ｃと、他方の端部（図４の下方端部）にあって、軸部４３ｃ，４４ｃが形成される面とは反対側の面から垂直に突出して形成された軸部４３ａ，４４ａとをそれぞれ有する。
【００３７】
次に、下流側フィン３０とリンク機構４０との連結状態について説明する。
まず、アーム３１ｄ〜３４ｄは、筐体１５の短手壁１６を介して下流側フィン３０に沿うように配設されるとともに、その軸受部３１ｃ〜３４ｃと下流側フィン３０の支軸とがそれぞれ連結され固定されている。詳しくは、アーム３１ｄの軸受部３１ｃは端フィン３１の支軸と、アーム３２ｄの軸受部３２ｃは隣接フィン３２の支軸と、アーム３３ｄの軸受部３３ｃは隣接フィン３３の支軸と、アーム３４ｄの軸受部３４ｃは端フィン３４の支軸とそれぞれ連結され固定されている。そして、アーム３１ｄ〜３４ｄは、下流側フィン３０の支軸を中心に同下流側フィン３０と一体となって揺動可能に支持されている。
【００３８】
また、第１リンク部材４１は、筐体１５の短手壁１６に沿うように配設されている。そして、第１リンク部材４１の第１穴部４１ａには、アーム３１ｄの軸部３１ｅが遊嵌されている。すなわち、第１リンク部材４１は、アーム３１ｄを介して端フィン３１と連結されている。なお、図４に示されるように、下流側フィン３０の揺動状態が筐体１５の吹出口７１ａの開口面に対して略垂直をなすような状態であるときは、アーム３１ｄの軸部３１ｅは第１リンク部材４１の第１穴部４１ａ内にあって、その端部４１ｂにおいて係合支持されている。また、第１リンク部材４１の軸受部４１ｄには、アーム３２ｄの軸部３２ｅが回動可能に連結されている。すなわち、第１リンク部材４１は、アーム３２ｄを介して隣接フィン３２と連結されている。こうして、端フィン３１及び隣接フィン３２は、第１リンク部材４１によって連結されている。
【００３９】
第２リンク部材４２は、筐体１５の短手壁１６に沿うように配設されている。そして、第２リンク部材４２の第２穴部４２ａには、アーム３４ｄの軸部３４ｅが遊嵌されている。すなわち、第２リンク部材４２は、アーム３４ｄを介して端フィン３４と連結されている。なお、図４に示されるように、下流側フィン３０が筐体１５の吹出口７１ａの開口面に対して略垂直をなすように指向しているときは、アーム３４ｄの軸部３４ｅは第２リンク部材４２の第２穴部４２ａ内にあって、その端部４２ｃにおいて係合支持されている。また、第２リンク部材４２の軸受部４２ｄには、アーム３３ｄの軸部３３ｅが回動可能に連結されている。すなわち、第２リンク部材４２は、アーム３３ｄを介して隣接フィン３３と連結されている。こうして、端フィン３４及び隣接フィン３３は、第２リンク部材４２によって連結されている。
【００４０】
また、アーム４３ｂは、筐体１５の短手壁１６と第１リンク部材４１との間であって、短手壁１６に沿うように配設されている。そして、アーム４３ｂの軸部４３ａは、第１リンク部材４１の軸受部４１ｅに回動可能に連結されている。また、アーム４３ｂの軸部４３ｃは、筐体１５の短手壁１６の所定位置に形成された軸受部（図示略）に連結されている。すなわち、アーム４３ｂは、同アーム４３ｂの軸部４３ｃを中心に回動可能な状態で短手壁１６に連結されている。
【００４１】
もう一方のアーム４４ｂは、筐体１５の短手壁１６と第２リンク部材４２との間であって、短手壁１６に沿うように配設されている。そして、アーム４４ｂの軸部４４ａは、第２リンク部材４２の軸受部４２ｅに回動可能に連結されている。また、アーム４４ｂの軸部４４ｃは、筐体１５の短手壁１６の所定位置に形成された軸受部（図示略）に連結されている。すなわち、アーム４４ｂは、同アーム４４ｂの軸部４４ｃを中心に回動可能な状態で短手壁１６に連結されている。なお、アーム４３ｂの軸部４３ｃ及びアーム４４ｂの軸部４４ｃがそれぞれ連結される短手壁１６の各軸受部について、その形成位置は次のようにそれぞれ設定される。すなわち、図４に示されるように、下流側フィン３０が筐体１５の吹出口７１ａの開口面に対して略垂直をなすように指向しているときに、アーム４３ｂ，４４ｂがアーム３１ｄ〜３４ｄと平行となるような位置に上記所定位置がそれぞれ設定されている。こうしたリンク機構４０により下流側フィン３０は筐体１５に揺動可能に軸支される。
【００４２】
このように下流側フィン３０とリンク機構４０とが連結された空調グリル２０において、例えば隣接フィン３２が把持されてその上流側端部が揺動するように（図２の略上下方向に）操作されると、その隣接フィン３２と同期してアーム３２ｄも揺動する。このアーム３２ｄの揺動力は、第１リンク部材４１を介して端フィン３１に伝達される。こうして、端フィン３１及び隣接フィン３２は同期して揺動する。また、例えば隣接フィン３３が把持されてその上流側端部が揺動するように（図２の略上下方向に）操作される場合も同様に、その隣接フィン３２と同期してアーム３３ｄも揺動し、このアーム３３ｄの揺動力が第２リンク部材４２を介して端フィン３４に伝達される。このようにして、端フィン３４及び隣接フィン３３は同期して揺動する。そして、空調風は、上流側フィン２１に沿って各上流側フィン２１の間を通過した後、下流側フィン３０に沿ってカバー７０の吹出口７１ａから吹き出されることとなる。
【００４３】
ここで、図３に示すように、カバー７０にあって筐体１５の長手壁１７の内壁Ａを含め開口７１を形成する筐体１５の内壁Ａ，Ｂにはその周縁部から吹出口７１ａの開口中央に近づくように延出する舌片状の隠蔽部７１ｂが形成されている。この隠蔽部７１ｂにおいて長手壁１７の内壁Ａに沿って延びる部分により、吹出口７１ａの開口平面に対して垂直方向に指向する状態にある端フィン３１，３４が吹出口７１ａの前面側（図３の上側）から視認できないようにそれぞれ覆い隠される。
【００４４】
つづいて、上述のようにリンク機構４０と連結した下流側フィン３０について、その揺動態様ついて図４〜図６を参照して説明する。なお、この図５及び図６は、先の図４と同様に、図１の矢印Ｂ方向から見た空調グリル２０の側面図を示している。そして、図４〜図６は、その順に第１リンク部材４１及び第２リンク部材４２がそれら各図の左方に変位していく様子を示している。
【００４５】
まず、下流側フィン３０が筐体１５の吹出口７１ａの開口部に対して略垂直をなすように指向している場合は、図４に示すように、アーム３１ｄ〜３４ｄ，４３ｂ，４４ｂも同様に吹出口７１ａの開口部に対して略垂直をなす状態にある。そして、上述の通り、アーム３１ｄの軸部３１ｅは第１リンク部材４１の第１穴部４１ａ内にあって、その端部４１ｂにおいて係合支持された状態となっている一方、アーム３４ｄの軸部３４ｅは第２リンク部材４２の第２穴部４２ａ内にあって、その端部４２ｃにおいて係合支持された状態となっている。
【００４６】
そして、例えば、隣接フィン３２，３３の空調風の流れ方向における上流側端部（図４の下方端部）が図４の左方に揺動すると、図５に示すように、その隣接フィン３２，３３の揺動と同期してアーム３２ｄ，３３ｄも揺動する。こうしてアーム３２ｄ，３３ｄが揺動すると、そのアーム３２ｄの揺動力がその軸部３２ｅを介して第１リンク部材４１に伝達されるとともに、アーム３３ｄの揺動力がその軸部３３ｅを介して第２リンク部材４２に伝達される。これにより、第１リンク部材４１及び第２リンク部材４２が図５の左方に変位する。この第１リンク部材４１の変位に伴う力が軸部４３ａを介してアーム４３ｂに伝達されて、同アーム４３ｂはその軸部４３ｃを中心に上流側端部が第１リンク部材４１の変位方向と同方向に揺動する。その一方、第２リンク部材４２の変位に伴う力が軸部４４ａを介してアーム４４ｂに伝達されて、同アーム４４ｂはその軸部４４ｃを中心に上流側端部が第２リンク部材４２の変位方向と同方向に揺動する。
【００４７】
また、こうした第１リンク部材４１の変位に伴う力は、軸部３１ｅを介してアーム３１ｄにも伝達される。具体的には、図５に示すように、第１リンク部材４１が同図の左方に変位すると、同第１リンク部材４１の第１穴部４１ａ内にあってその端部４１ｂとアーム３１ｄの軸部３１ｅとが係合状態のまま維持される。その結果、上記端部４１ｂによってアーム３１ｄの軸部３１ｅが同図５の左方に押圧されることにより、アーム３１ｄの上流側端部が第１リンク部材４１の変位方向と同方向に揺動する。このアーム３１ｄの揺動力が端フィン３１に伝達されることにより、同端フィン３１も隣接フィン３２と同期して揺動することとなる。
【００４８】
一方、第２リンク部材４２の変位に伴う力は、アーム３４ｄに伝達されない。具体的には、図５に示すように、第２リンク部材４２が同図左方に変位すると、アーム３４ｄの軸部３４ｅは第２リンク部材４２の第２穴部４２ａ内にあって一方の端部４２ｃから他方の端部４２ｂに近づく方向に同第２穴部４２ａの形状に沿って変位する。こうして、アーム３４ｄの軸部３４ｅが第２穴部４２ａ内を変位することにより、同第２リンク部材４２の変位に伴う力はアーム３４ｄに伝達されず、同アーム３４ｄは変位しない。このため、端フィン３４へも揺動力が伝達されず、同端フィン３４は先の図４に示す場合と同様に、筐体１５の吹出口７１ａの開口面に対して垂直をなすように指向したままの状態に保持される。すなわち、端フィン３４は吹出口７１ａの開口面に対して垂直をなすように指向した状態に保持されたまま、アーム３４ｄの軸部３４ｅが第２穴部４２ａ内により案内されるようになる。
【００４９】
さらに、隣接フィン３２，３３の上流側端部が図５に示す状態よりも更に左方に揺動し、隣接フィン３２，３３が筐体１５の吹出口７１ａの開口面に対して平行方向に指向すると、図６に示すように、隣接フィン３２，３３の揺動と同期してアーム３２ｄ，３３ｄも揺動する。こうして、アーム３２ｄ，３３ｄが揺動すると、図５と示す場合と同様に、第１リンク部材４１及び第２リンク部材４２、アーム４３ｂ，４４ｂに揺動力が伝達されることにより、同第１リンク部材４１及び第２リンク部材４２は同図の左方に変位するとともに、アーム４３ｂ，４４ｂはアーム３２ｄ，３３ｄと平行となるように揺動する。
【００５０】
また、第１リンク部材４１の変位に伴い、アーム３１ｄの軸部３１ｅは、第１穴部４１ａの端部４１ｂによって同図左方に押圧されることにより、アーム３１ｄの上流側端部が第１リンク部材４１の変位方向と同方向に揺動する。このアーム３１ｄの揺動力が端フィン３１に伝達されることにより、同端フィン３１も隣接フィン３２と同期して揺動することとなる。その結果、吹出口７１ａは各フィン３１〜３３によって閉鎖されるようになる。
【００５１】
一方、第２リンク部材４２の変位に伴い、アーム３４ｄの軸部３４ｅは、第２リンク部材４２の第２穴部４２ａ内であって同第２穴部４２ａの形状に沿ってその端部４２ｂに位置するようになるまで変位する。こうして第２穴部４２ａ内を変位することにより、第２リンク部材４２の変位に伴う力はアーム３４ｄに伝達されず、同アーム３４ｄは変位しない。このため、端フィン３４へも揺動力が伝達されず、同端フィン３４は先の図５に示す場合と同様に、筐体１５の吹出口７１ａの開口面に対して垂直をなすように指向したままの状態に保持される。
【００５２】
このように、第２フィン群においては、隣接フィン３３により調節される空調風の吹出方向が端フィン３４と近接する長手壁１７の内壁Ａと反対側に指向するように第２リンク部材４２が変位する際には、アーム３４ｄの軸部３４ｅが第２穴部４２ａの形状に沿って相対的に移動することにより、端フィン３４が吹出口７１ａの開口平面に対して垂直な方向に指向する状態となるようにその揺動角度が一定に保持されることとなる。
【００５３】
ここで、例えば、図１２に二点鎖線にて示すように、端フィン（３４）が隣接フィン（３３）とともに揺動する場合には、端フィン（３４）により調節される空調風の吹出方向と隣接フィン（３３）により調節される空調風の吹出方向とが平行になるため、その空調風が到達する領域Ｎが比較的限られたものとなる。
【００５４】
これに対して、本実施形態の空調グリル２０においては、端フィン（３４）により調節される空調風と隣接フィン（３３）により調節される空調風とによって拡散する空調風が形成され、その空調風が到達する領域Ｗを広く確保できるようになる。また、端フィン（３４）は吹出口の開口平面に対して垂直な方向に指向する状態から片側にしか揺動しないため、端フィン（３４）を揺動可能とするために確保する空間を小さくすることができ、フィンの配列方向、すなわち筐体１５の短手方向の幅を薄くすることができるようになる。
【００５５】
更に、このように端フィン（３４）が吹出口の開口平面に対して垂直な方向に指向する状態にあるとき、隣接フィン（３３）はこれにより調節される空調風の吹出方向が長手壁（１７）の内壁（Ａ）と反対側となるように揺動するため、端フィン（３４）により吹出方向が調節される空調風と隣接フィン（３３）により吹出方向が調節される空調風とが図１３に示すような干渉を起こすことがない。したがって、そうした干渉に起因して空調風の吹出方向を調節する機能が低下することを抑制できるようになる。
【００５６】
つづいて、下流側フィン３０の揺動の様子について、図７〜図９を参照して説明する。なお、図７〜図９は、先の図４〜図６と同様に、図１の矢印Ｂ方向から見た空調グリル２０の側面図を示しており、先の図４に示した状態から第１リンク部材４１及び第２リンク部材４２が種々の態様をもって変位した場合を示している。とくに、図７は各リンク部材４１，４２が先の図５と反対方向に変位する場合を、図８は各リンク部材４１，４２が互いに近づく方向に変位する場合を、図９は各リンク部材４１，４２が互いに離間する方向に変位する場合をそれぞれ示している。
【００５７】
まず、図４に示すように下流側フィン３０が筐体１５の吹出口７１ａの開口面に対して垂直な方向に指向している状態から、隣接フィン３２，３３の空調風の流れ方向における上流側端部（図４の下方端部）が図４の右方に揺動すると、図７に示すように、隣接フィン３２，３３の揺動と同期してアーム３２ｄ，３３ｄも揺動する。こうして、アーム３２ｄ，３３ｄが揺動すると、図５，図６に示す場合と同様に、第１リンク部材４１及び第２リンク部材４２、アーム４３ｂ，４４ｂに揺動力が伝達されることにより、同第１リンク部材４１及び第２リンク部材４２は同図の右方に変位するとともに、アーム４３ｂ，４４ｂはアーム３２ｄ，３３ｄと平行となるように揺動する。
【００５８】
また、第１リンク部材４１の変位に伴い、アーム３１ｄの軸部３１ｅは、第１リンク部材４１の第１穴部４１ａ内であって一方の端部４１ｂから他方の端部４１ｃに近づく方向に同第１穴部４１ａの形状に沿って変位する。すなわち、アーム３１ｄの軸部３１ｅが第１穴部４１ａ内により案内されるようになる。こうして軸部３１ｅが第１穴部４１ａ内を変位することにより、第１リンク部材４１の変位に伴う力はアーム３１ｄに伝達されず、同アーム３１ｄは変位しない。このため、端フィン３１へも揺動力が伝達されず、同端フィン３１は先の図４に示す場合と同様に、筐体１５の吹出口７１ａの開口面に対して垂直な方向に指向する状態となるようにその揺動角度が一定に保持される。
【００５９】
一方、第２リンク部材４２の変位に伴い、アーム３４ｄの軸部３４ｅは、第２穴部４２ａの端部４２ｃによって同図右方に押圧されることにより、アーム３４ｄの上流側端部が第２リンク部材４２の変位方向と同方向に揺動する。このアーム３４ｄの揺動力が端フィン３４に伝達されることにより、同端フィン３４も隣接フィン３３と同期して揺動することとなる。
【００６０】
また、第１フィン群と第２フィン群とは第１リンク部材４１及び第２リンク部材４２が各別に変位することにより各フィン群毎に独立して揺動可能である。以下、図８及び図９を参照して、第１フィン群と第２フィン群がそれぞれ独立して揺動する様子について説明する。
【００６１】
隣接フィン３２，３３のその空調風の流れ方向における上流側端部が互いに近づくように揺動する場合は、図８に示すように、隣接フィン３２，３３の揺動と同期してアーム３２ｄ，３３ｄも揺動する。こうして、アーム３２ｄ，３３ｄが揺動すると、図５，図７に示す場合と同様に、第１リンク部材４１及び第２リンク部材４２、アーム４３ｂ，４４ｂに揺動力が伝達されることにより、同第１リンク部材４１は図８の左方に、第２リンク部材４２は同図の右方にそれぞれ変位する。そして、各アーム４３ｂ，３２ｄが平行になるとともに、各アーム４４ｂ，３３ｄが平行となるように、それらアーム４３ｂ，３２ｄ，４４ｂ，３３ｄがそれぞれ揺動する。
【００６２】
また、第１リンク部材４１の変位に伴い、アーム３１ｄの軸部３１ｅは、第１リンク部材４１の第１穴部４１ａの端部４１ｂによって同図左方に押圧されることにより、アーム３１ｄの上流側端部が第１リンク部材４１の変位方向と同方向に揺動する。このアーム３１ｄの揺動力が端フィン３１に伝達されることにより、同端フィン３１も隣接フィン３２と同期して揺動することとなる。
【００６３】
一方、第２リンク部材４２の変位に伴い、アーム３４ｄの軸部３４ｅは、第２穴部４２ａの端部４２ｃによって同図右方に押圧されることにより、アーム３４ｄの上流側端部が第２リンク部材４２の変位方向と同方向に揺動する。このアーム３４ｄの揺動力が端フィン３４に伝達されることにより、同端フィン３４も隣接フィン３３と同期して揺動することとなる。
【００６４】
こうして、第１フィン群、すなわち端フィン３１及び隣接フィン３２と、第２フィン群、すなわち端フィン３４及び隣接フィン３３の各フィン群の上流側端部が筐体１５の長手壁１７の内壁Ａ（図３参照）から離間する側にそれぞれ揺動する場合には、第１フィン群により調節される空調風の吹出方向はその端フィン３１が近接する内壁Ａ側に指向する一方、第２フィン群により調節される空調風の吹出方向はその端フィン３４が近接する内壁Ａ側に指向するようになる結果、拡散する空調風が形成されることとなる。
【００６５】
次に、隣接フィン３２，３３の空調風の流れ方向における上流側端部が互いに離間するように揺動する場合には、図９に示すように、それら隣接フィン３２，３３の揺動と同期してアーム３２ｄ，３３ｄも各軸部３２ｅ，３３ｅの形成された端部が互いに離間するように揺動する。こうして、アーム３２ｄ，３３ｄが揺動すると、図６、図７に示す場合と同様に、第１リンク部材４１及び第２リンク部材４２、アーム４３ｂ，４４ｂに揺動力が伝達されることにより、同第１リンク部材４１は図９の右方に、第２リンク部材４２は同図の左方にそれぞれ変位する。そして、各アーム４３ｂ，３２ｄは平行となり、また各アーム４４ｂ，３３ｄも平行となるように、それら各アーム４３ｂ，３２ｄ，４４ｂ，３３ｄがそれぞれ揺動する。
【００６６】
また、第１リンク部材４１の変位に伴い、アーム３１ｄの軸部３１ｅは、第１リンク部材４１の第１穴部４１ａ内にあって一方の端部４１ｂから他方の端部４１ｃまで第１穴部４１ａの形状に沿って変位する。こうして軸部３１ｅが第１穴部４１ａ内で案内されることにより、第１リンク部材４１の変位に伴う力はアーム３１ｄに伝達されず、同アーム３１ｄは変位しない。このため、端フィン３１へも揺動力が伝達されず、同端フィン３１は先の図７に示す場合と同様に、筐体１５の吹出口７１ａの開口面に対して垂直な方向に指向する状態となるようにその揺動角度が一定に保持される。そして、第１フィン群において、端フィン３１と隣接フィン３２とはそれぞれ別の方向に指向した状態となる。
【００６７】
一方、第２リンク部材４２の変位に伴い、アーム３４ｄの軸部３４ｅは、第２リンク部材４２の第２穴部４２ａ内にあって一方の端部４２ｃから他方の端部４２ｂまで第２穴部４２ａに沿って変位する。こうして軸部３４ｅが第２穴部４２ａ内で案内されることにより、第２リンク部材４２の変位に伴う力はアーム３４ｄに伝達されず、同アーム３４ｄは変位しない。このため、端フィン３４へも揺動力が伝達されず、同端フィン３４は先の図４に示す場合と同様に、筐体１５の吹出口７１ａの開口面に対して垂直な方向に指向する状態となるようにその揺動角度が一定に保持される。そして、第２フィン群において、端フィン３４と隣接フィン３３とはそれぞれ別の方向に指向した状態となる。なお、第１リンク部材４１の第１穴部４１ａの形状は、隣接フィン３２が吹出口７１ａの開口面に対して垂直方向に指向している状態からその上流側端部が長手壁１７に近づく方向の揺動が完了する状態まで、アーム３１ｄの軸部３１ｅが第１穴部４１ａの内壁を過度に押圧することなく変位可能な程度の大きさに設定されている。また、第２リンク部材４２の第２穴部４２ａの形状についても同様に、隣接フィン３３が吹出口７１ａの開口面に対して垂直方向に指向している状態からその上流側端部が長手壁１７に近づく方向の揺動が完了する状態まで、アーム３４ｄの軸部３４ｅが第２穴部４２ａの内壁を過度に押圧することなく変位可能な程度の大きさに設定されている。
【００６８】
ここで、空調グリルの吹出口から吹き出される空調風は基本的に各フィンの間を通過することでその吹出方向が調節される。例えば、端フィンと筐体の内壁との間の隙間を空調風が通過することがあると、この空調風は端フィンにより吹出方向が調節されないため、本来の指向させたい方向とは無関係の方向に吹き出され、こうした空調風と他のフィンによって吹出方向が調節された空調風とが干渉してしまうおそれがある。すなわちこのように、端フィンと筐体との間の隙間を通過する空調風が存在すると空調風の吹出方向を調節する機能の低下を招くこととなる。
【００６９】
この点、本実施形態においては、カバー７０において吹出口７１ａの開口中央に近づくように延出形成された隠蔽部７１ｂによって、上述したような端フィンと筐体との間の隙間を通過する空調風の発生を抑制するようにしている。すなわち、図１０に示すように、端フィン３４と筐体１５の長手壁１７との間の隙間を通過する空調風（同図１０に矢印にて図示）は、端フィン３４と長手壁１７との間に沿って空調グリル２０の吹出口７１ａの方向へ流れていく。そして、吹出口７１ａ付近まで到達した空調風は、隠蔽部７１ｂによって堰き止められるため、吹出口７１ａから吹き出されることが抑制される。
【００７０】
そして、同図１０に破線にて示すように、端フィン３４は揺動しても、その下流側端部（同図の上側端部）の位置が変位しない。空調風は、こうした端フィン３４の下流側端部に沿って吹出口７１ａ付近まで到達するため、端フィン３４が揺動した場合においても、吹出口７１ａ付近まで到達した空調風が隠蔽部７１ｂによって堰き止められることとなる。なお、こうした端フィンと筐体の内壁との間の間隙を通過する空調風の発生を抑制する効果は、端フィン３４に限らず、同じく筐体１５の長手壁１７に沿うように設けられた端フィン３１においても同様に得ることができる。
【００７１】
また、住宅等の建造物では、例えば天井壁等に空調グリルが配設され、その空調グリルから空調装置により温度や湿度が調節された空調風を室内に吹き出すことにより室内の温度等を所望の値に調節するようにしている。この住宅等の建造物に、本実施形態の空調グリル２０を取り付ける場合は、例えば、図１１に示すように、筐体１５は、建造物の外壁と天井壁との交線（同図１１の紙面に対して垂直方向の線）が筐体１５の長手方向とが平行となり、且つ第１フィン群の端フィン３１が上記交線側に位置するように、空調グリル２０が配設される。そして、空調グリル２０の筐体１５はその吹出口７１ａが外壁に設けられた窓の直上に位置する状態で天井壁に埋設される。
【００７２】
こうして建造物内に配設された空調グリル２０において、第１フィン群の端フィン３１を吹出口７１ａの開口平面に対して垂直な方向に指向する状態に保持する一方、第１フィン群の隣接フィン３２及び第２フィン群のフィン３３，３４を室内側に指向させる。すると、図１１に一点鎖線にて示すように、同端フィン３１により調節される空調風は窓の表面に沿って流れるようになり、いわゆるエアカーテンとして機能するようになる。こうして空調風がエアカーテンとして機能すると、窓を介してなされる外気との熱交換によって室内温度が変動してしまうことを抑制することができる。
【００７３】
また、上述のように端フィン３１が吹出口７１ａの開口平面に対して垂直な方向に指向する際は、同端フィン３１により調節される空調風と同端フィン３１以外の下流側フィン３０により調節される空調風とが干渉しないように、端フィン３１以外の下流側フィン３０を室内側に指向させることができる。そしてこれにより、各フィン３２，３３，３４により調節される空調風を室内側に吹き出すようになり、同室内の温度等を好適に調節することができる。
【００７４】
以上説明した本実施形態によれば、以下の効果が得られるようになる。
（１）第１フィン群の端フィン３１及び隣接フィン３２を第１リンク部材４１によって連結する一方、第２フィン群の端フィン３４及び隣接フィン３３を第１リンク部材４１とは別の第２リンク部材４２によって連結するようにしているため、各フィンをフィン群毎に独立して揺動させることができる。そのため、第１フィン群におけるフィンの揺動角度と第２フィン群におけるフィンの揺動角度とを異なる角度としてそれらフィン群のフィンの間を通過する空調風の吹出方向を各別に設定することも可能となる。したがって、空調風の吹出方向を調節する機能の向上を図ることができる。
【００７５】
（２）意匠的な観点から、空調グリルの吹出口から視認されるフィンの数はより少ないことが望ましい。一方、フィンの数が少ないほど、空調風の吹出方向を調節する機能は低下するようになる。この点、本実施形態によれば、第１フィン群及び第２フィン群の各端フィン３１，３４が吹出口７１ａの開口平面に対して垂直な方向に指向する状態にあるときには、それら端フィン３１，３４が隠蔽部７１ｂによってそれぞれ覆い隠されるようになるため、吹出口７１ａの前面側からは視認できない状態となる。このため、空調風の吹出方向を調節する機能を適正に維持しつつ、空調グリルの意匠性を向上させることができる。
【００７６】
（３）端フィン３１，３４が揺動した場合でも筐体１５に軸支されている端フィン３１，３４の下流側端部と隠蔽部７１ｂとの位置関係が変化することはなく、したがって筐体１５の長手壁１７と端フィン３１，３４との間の隙間を通過しようとする空調風は隠蔽部７１ｂによって堰き止められるようになる。その結果、筐体１５の長手壁１７と端フィン３１，３４との間の隙間を通過して吹出口７１ａから空調風が吹き出されることを抑制することができ、空調風の吹出方向を調節する機能の低下を回避することができる。
【００７７】
（４）端フィン３１，３４により調節される空調風と隣接フィン３２，３３により調節される空調風とによって拡散する空調風が形成され、その空調風が到達する領域を広く確保できるようになる。また、端フィン３１，３４は吹出口７１ａの開口平面に対して垂直な方向に指向する状態から片側にしか揺動しないため、端フィン３１，３４を揺動可能とするために確保する空間を小さくすることができ、フィンの配列方向における筐体の幅を薄くすることができるようになる。
【００７８】
更に、このように端フィン３１，３４が吹出口７１ａの開口平面に対して垂直な方向に指向する状態にあるとき、隣接フィン３２，３３はこれにより調節される空調風の吹出方向が筐体１５の長手壁１７と反対側となるように揺動するため、端フィン３１，３４により吹出方向が調節される空調風と隣接フィン３２，３３により吹出方向が調節される空調風とが干渉を起こすことがない。したがって、そうした干渉に起因して空調風の吹出方向を調節する機能が低下することを抑制できるようになる。
【００７９】
（５）端フィン３１が吹出口７１ａの開口平面に対して垂直な方向に指向するようにその揺動角度を保持することにより、同端フィン３１により調節される空調風は窓の表面に沿って流れるようになり、いわゆるエアカーテンとして機能するようになる。そしてこうしたエアカーテンの機能により、窓を介してなされる外気との熱交換によって室内温度が変動してしまうことを抑制することができ、ひいては空調機器本来の性能を充分に発揮させることができるようになる。
【００８０】
尚、上記各実施形態は、これを適宜変更した以下の形態にて実施することもできる。
・上記実施形態においては、各リンク部材４１，４２に円弧状に延びる形状を有した穴部４１ａ，４２ａを形成するようにした。これに対して、第１リンク部材４１にだけこうした穴部４１ａを有するようにし、第２リンク部材４２は穴部４２ａに代えて、アーム３４ｄの軸部３４ｅを回転可能に支持するとともに第２リンク部材４２に対する軸部３４ｅの相対的な位置変化を規制する軸受部を有するようにしてもよい。すなわち、隣接フィンが揺動する際に、吹出口７１ａの開口平面に対して垂直な方向に指向するように端フィンの揺動角度を保持する機能を第１リンク部材４１側にのみ持たせるようにしてもよい。こうした形態においては、上記実施形態と同様に、第１フィン群については、その端フィン３１に連結されるアーム３１ｄの軸部３１ｅが第１リンク部材４１の穴部４１ａ内を変位可能であるため、端フィン３１は隣接フィン３２が揺動する際でもその揺動角度を一定に保持することが可能となる。一方、第２フィン群の端フィン３４に連結されるアーム３４ｄの軸部３４ｅが第２リンク部材４２の軸受部に連結されるため、第２フィン群の端フィン３４と隣接フィン３３とは常に同期して揺動するようになる。そして、こうした形態においては、上記実施形態の（１）〜（３）の効果及び（５）の効果に準じた効果を得ることができる。
【００８１】
・さらに、各リンク部材４１，４２及び各穴部４１ａ，４２ａの双方について上記変形例と同様に、これを各アーム３１ｄ，３４ｄの軸部３１ｅ，３４ｅを回転可能に支持する軸受部に変更してもよい。こうした形態においては、各フィン群の端フィン３１，３４は隣接フィン３２，３３と常に同期して揺動することとなる。こうした形態においても、上記実施形態における（１）〜（３）の効果を得ることはできる。
【００８２】
・上記実施形態においては、各リンク部材４１，４２に円弧状に延びる形状を有した穴部４１ａ，４２ａを形成し、これら穴部４１ａ，４２ａが端フィン３１，３４の連結部としての各アーム３１ｄ，３４ｄの軸部３１ｅ，３４ｅを案内する案内部として機能するようにしたが、こうした案内部としては穴に限らず、例えば円弧状に延びる溝を採用することもできる。
【００８３】
・筐体１５における長手壁１７の内壁Ａの周縁部に端フィン３１，３４を覆い隠す隠蔽部７１ｂを形成するようにしたが、この隠蔽部７１ｂを省略することもできる。この形態においては、上記実施形態における（１）及び（４）、（５）の効果を得ることができる。
【００８４】
・上記実施形態においては、住宅等の建造物の窓の直上に吹出口７１ａが位置するように空調グリル２０の筐体１５を天井壁に埋設する例を示したが、本発明の空調グリルの設置箇所はこれに限られるものではない。例えば、吹出口７１ａが室内の中央に位置する等、同吹出口７１ａが窓の直上に位置しない形態で空調グリル２０を設置することもできる。こうした形態においては、上記実施形態における（１）〜（４）の効果に準ずる効果を得ることはできる。
【００８５】
・上記実施形態においては、直方体状の筐体１５に長方形状の吹出口７１ａが形成された空調グリルを例示したが、筐体１５についてはこれを立方体状とする等、また吹出口７１ａについてはこれを正方形状とする等、筐体１５や吹出口７１ａの形状は適宜変更することができる。
【００８６】
・上記実施形態においては、第１リンク部材４１によって連結される第１フィン群及び第２リンク部材４２によって連結される第２フィン群は、それぞれ２枚のフィンにより構成されていた。上記第１フィン群及び上記第２フィン群は、それぞれ複数枚のフィンにより構成されてさえいれば、その枚数は限定されない。ただし、各フィン群の枚数に応じて、第１リンク部材及び第２リンク部材に対するアームの連結箇所を設定する必要がある。例えば、３枚のフィンにより第１フィン群が構成される場合には、先の図４に示す第１リンク部材において、アーム３１ｄの連結箇所とアーム３２ｄの連結箇所との間にもう１つのアームの連結箇所を設けるようにして、同アームを介してフィンが第１リンク部材により連結するようにする。
【符号の説明】
【００８７】
１５…筐体、１６…短手壁、１７…長手壁、２０…空調グリル、２１…上流側フィン、２１ａ…支軸、３０…下流側フィン、３１，３４…端フィン、３１ｃ〜３４ｃ，４１ｄ，４１ｅ，４２ｄ，４２ｅ…軸受部、３１ｄ〜３４ｄ，４３ｂ，４４ｂ…アーム、３１ｅ〜３４ｅ，４３ａ，４３ｃ，４４ａ，４４ｃ…軸部、３２，３３…隣接フィン、４０…リンク機構、４１…第１リンク部材、４１ａ…第１穴部、４１ｂ，４１ｃ，４２ｂ，４２ｃ…端部、４２…第２リンク部材、４２ａ…第２穴部、７０…カバー、７１…開口、７１ａ…吹出口、７１ｂ…隠蔽部、Ａ…内壁、Ｂ…内壁。
【図１】
2011027348.tif 000003
【図２】
2011027348.tif 000004
【図３】
2011027348.tif 000005
【図４】
2011027348.tif 000006
【図５】
2011027348.tif 000007
【図６】
2011027348.tif 000008
【図７】
2011027348.tif 000009
【図８】
2011027348.tif 000010
【図９】
2011027348.tif 000011
【図１０】
2011027348.tif 000012
【図１１】
2011027348.tif 000013
【図１２】
2011027348.tif 000014
【図１３】
2011027348.tif 000015